(57)【要約】【課題】  ツボを押圧刺激する突起を複数備えたシートにおいて、一つの突起を備えたシート片、または複数の突起を一行に配列したシート片、または突起を多行多列に配列したシート片等に切り離し、前記切り離したシート片を任意の対象物に貼り付け可能とする。【解決手段】  突起間または突起の周辺のいずれか一方にスリット、ミシン目、切れ目、V溝の内から選んだ少なくとも一つの切り離し手段を備え、少なくとも一つの突起部分を切り離し容易にした構成。また、切り離したシート片を対象物に貼り付ける手段として両面粘着シート、面ファスナー、熱活性型接着剤、溶剤活性型接着剤の内から選んだいずれか一つの接着手段を備えた構成。【選択図】  図１
0003111120.tif 000002
【実用新案登録請求の範囲】
【請求項１】
身体のツボを押圧刺激する突起を複数備え、前記突起間または前記突起の周辺のいずれか一方にスリット、ミシン目、切れ目、V溝の内から選んだ少なくとも一つの切り離し手段を備えることにより少なくとも一つの前記突起を切り離し容易にしたことを特徴とするツボ押圧シート。
【請求項２】
突起表面に薬剤を備えたことを特徴とする請求項１記載のツボ押圧シート。
【請求項３】
シートを巻回可能な長尺テープ状としたことを特徴とする請求項１記載のツボ押圧シート。
【請求項４】
対象物に貼り付けるための接着手段を備え、前記接着手段にスリット、ミシン目、切れ目の内から選んだ少なくとも一つの切り離し手段を備えたことを特徴とする請求項１記載のツボ押圧シート。
【請求項５】
接着手段に薬剤を含ませたことを特徴とする請求項４記載のツボ押圧シート。
【考案の詳細な説明】
【技術分野】
【０００１】
本考案は身体の各部ツボを押圧刺激する突起を所定間隔毎に複数備えてなるツボ押圧シートに関する。
【背景技術】
【０００２】
従来、身体のツボを押圧して刺激する突起を多行多列に所定間隔毎に備えたシートが多数提案されている。例えば、ツボ押し具として特開２００１−３４６８５４平号公報が提案されている。
また、熱硬化性樹脂からなる板状マットと、ほぼ球形状の遠赤外線放射加工物とから成形されたマットとして特開平１１−１９２２８４号公報が提案されている。
さらに、弾性変形可能な背当てベースシートの表面に多数のツボ刺激突起を一体に形成した構成として実用新案公開平５−４８９６０号公報が提案されている。
さらに、コンピュータ入力用マウスに貼り付けて使用するツボ押しアクセサリーとして、突起が多行多列に配置されている動物型シートを両面テープで貼り付ける構成が登録実用新案第３０７４２０４号公報に提案されている。
【０００３】
さらに、一つの基板に複数の突起を備え、該基板の端部には、基板同士を相互に接続および分離可能な接続部を有する構成が登録実用新案第３０８８９５８号公報に提案されている。
【特許文献１】特開２００１−３４６８５４号公報
【特許文献２】特開平１１−１９２２８４号公報
【特許文献３】実用新案公開平５−４８９６０号公報
【特許文献４】登録実用新案第３０７４２０４号公報
【特許文献５】登録実用新案第３０８８９５８号公報
【考案の開示】
【考案が解決しようとする課題】
【０００４】
しかし、従来の前記特許文献1〜４におけるツボ押圧刺激シート(マット)においては、所定間隔毎に配設した複数の突起を一つの突起片毎に切り離し容易な構成、または複数の突起を備えた一行(又は一列)のシート片ごとに切り離し容易な構成、 または突起を多行多列に複数備えたシート片ごとに切り離し容易な構成となっていない。即ち、切り離した一つの突起片、一行の突起を備えたシート片、または複数行の突起を備えたシート片を任意の対象物に貼り付けて使用する構成となっていない。
【０００５】
従来の前記特許文献５における衣類装着型ツボ刺激具は、一つの基板２上に配設した複数の突起３を相互に切り離し容易にするものでない。基板２の一端側に設けた三つの係合用突起５と二つの凹部６からなるＳ型の凹凸は基板２を任意に組合せて長くすることを目的としている。即ち、本考案の目的とは逆に、基板２を繋げて突起３の数を３，６，９と一列に増やしていく構成を提案するものである。
【０００６】
本考案は、例えばツボを押圧刺激する突起を所定間隔毎に多行多列に備えたシートにおいて、前記突起間または前記突起の周辺のいずれか一方にスリット、ミシン目、切れ目、V溝の内から選んだいずれか一つの切り離し手段を備えることにより、一つのツボ押圧用突起を備えたシート片、突起を所定間隔毎に一行に配列したシート片、または突起を所定間隔毎に複数行に配列したシート片を切り離し容易にすることを目的とする。また、切り離したシート片を任意の対象物に貼り付け可能にすることを目的とする。さらに、ツボ押圧シートを構成する突起表面に薬剤を備え身体の皮膚から薬効を得ることを目的とする。
【課題を解決するための手段】
【０００７】
上記課題を解決するために本考案の観点にかかるツボ押圧シートは、身体のツボを押圧刺激する突起を複数備え、前記突起間または前記突起の周辺のいずれか一方にスリット、ミシン目、切れ目、V溝の内から選んだ少なくとも一つの切り離し手段を備えることにより少なくとも一つの前記突起を切り離し容易にした構成とするのが好ましい。
さらに、前記突起表面またはシート表面の少なくとも一方に薬剤を備えた構成とするのが好ましい。
さらに、シートを巻回可能な長尺テープ状とするのが好ましい。前記長尺テープはフィルム樹脂、布帛等の部材とするのが好ましい。
さらに、前記ツボ押圧シートは、該シートを対象物に貼り付ける接着手段を備えた構成とするのが好ましい。
前記接着手段を粘着シート、面ファスナー、熱活性型接着剤、溶剤活性型接着剤の内から選んだいずれか一つとするのが好ましい。
前記接着手段にも、スリット、ミシン目、切れ目の内から選んだ少なくとも一つの切り離し手段を備えた構成とするのが好ましい。また、前記接着手段に薬剤を含ませた構成とするのが好ましい。
【考案の効果】
【０００８】
上記構成により本考案のツボ押圧シートは、ツボ押圧用突起を多行多列に備えたシートから一つの突起を備えたシート片、または複数の突起を所定間隔に配列した一行(又は一列)のシート片、または突起を所定間隔に多行多列に配列したシート片等を任意に切り離すことがでる。
そして、切り離した前記シート片を任意の対象物たとえばシート状部材、板状部材、棒状部材、各種把手または柄(ハンドル、グリップ)等に貼り付けて身体のツボたとえば手のひら、足の裏、等のツボを押圧刺激できる。勿論、切り離した前記シート片を身体の各部(首筋、頭部、耳の裏、脚部、手の甲、背中等)に貼り付けることによってもツボを押圧刺激できる。
【０００９】
切り離した前記シート片の具体的貼り付け対象物としては、例えば鍋・釜・フライパンなどの各種調理器具の柄または把手、ヘヤードライヤ・冷蔵庫などの各種電気製品の柄または把手、テニスラケットなど各種スポーツ用具の柄または把手、杖、自転車、単車等のハンドル、車のステアリングホイール、鞄の把手、ドアなどの各種把手、てすり、靴の中敷、つっかけ,サンダル,スリッパなどの各種履物、背もたれ、筆記具、携帯電話、受話器、傘の柄、下着(肌着)、アクセサリー、腕輪、ぬいぐるみ、敷物、計量器、コンピュータ用マウス、枕、座布団、ハンカチ、タオル、マット、床材などがあげられる。これにより手のひら、足の裏、首筋、頭部、眼の周り、顔面、背中、脚部等の身体各部のツボを押圧刺激できる。また、突起表面等に薬剤を備えることにより身体の皮膚から薬効を得られる。
【考案を実施するための最良の形態】
【００１０】
本考案の観点にかかるツボ押圧シートにおいて、ツボ押圧用突起の形状と形成部材は公知のものを任意に用いることができる。例えば、突起形状としては半球状、円錐形、先端部が半球状の円錐形、先端部が半球状の円柱、円柱、頂部を平らにした角錐、ソロバン玉型などから選んだ一つとするのが好ましい。図６において符号２２、２３、２４はツボ押圧用突起の一部の例を示す。
【００１１】
図６(A)の突起２２は先端部が半球状の円柱をなし直径が２〜８mm、高さ寸法が３mm程度以上とするのが好ましい。図６(B)の突起２３は先端部が半球状の円錐形をなし大径部の直径が3〜８mm、高さ寸法が３〜８mm、先端部の半球状の半径が0.7〜1.3mm程度とするのが好ましい。図６(C)の突起２４は円柱をなし直径が２〜８mm、高さ寸法が２〜８mm程度とするのが好ましい。なおツボ押圧シートにおいて、ツボ押圧用突起はシートの片面側のみに配設するだけでなく、シートの両面に配設してもよい。
【００１２】
シート及びツボ押圧用突起を構成する部材としては各種樹脂部材、ゴム部材、金属部材、セラミックス、紙部材、木材、布帛、トルマリン、磁性材料等から選んだ一つまたはその組み合わせとするのが好ましい。なお、ツボ押圧シートに蓄光部材(蛍光部材)、または芳香剤封入マイクロカプセルの少なくとも一方を含ませてもよい。勿論、光触媒を含んだツボ押圧シートとしてもよい。光触媒を樹脂部材に含ませる場合、光触媒活性を有しないアルミナ、シリカ等の多孔質部材、アパタイト等で光触媒粒子の一部を被覆しておくのが好ましい。
【００１３】
ツボ押圧シートを形成する手段は、シート上に突起形成樹脂を吐出(ディスペンサ)する手段、シートと突起を一体で射出成形する手段、シートと突起を一体で真空成形する手段、シートと突起を一体で圧空成形する手段、シートと突起を一体で圧縮成形する手段、または粘着シート上に予め別工程で製作した所望形状の突起を搭載、接着する手段など任意の手段を用いてよい。
【００１４】
突起を配設するシートは方形状、巻回可能な長尺テープ状など任意の形状としてよい。前記長尺テープ状シートは例えば長さ１m、5m、10m、20mなど任意の構成としてよい。長尺テープ状シートを構成する部材は、布帛、または厚さ50μｍ〜200μｍ程度の樹脂フィルムたとえばPET(ポリエチレンテレフタレート)、ナイロン、ポリイミド、塩化ビニル等、またはゴムシートたとえばポリウレタンゴム等とするのが好ましい。ツボ押圧シートを薄いフィルムテープ状とすることによりツボ押圧シート自身の巻回、または取り付け対象物への巻回を容易に行える。
【００１５】
さらに、突起表面またはシート表面の少なくとも一方に薬剤を備えた構成とするのが好ましい。例えば、突起表面および該突起を配設した側のシート表面に薬剤を塗布しておくことによりツボ押圧刺激と皮膚表面からの薬剤吸収とを併せて行える。
前記薬剤は例えば、殺菌消毒剤としては、グルコン酸クロルヘキシジン、塩化ベンザルコニウム、クロルキシレノール、アクリノール、チアントーン、塩化デカリニウム、スルフイソミジン、スルフアミン、ニトロフラゾン、ホウ酸、ホモスルフアミン、トリクロカルバン等があり、創傷部収斂治療促進剤としては、酸化亜鉛、塩酸ピリドキシン、酢酸トコフェロール、ジパルミチン酸ピリドキシン等、止血剤としては、塩酸ナフアゾリン、硫酸亜鉛、塩酸エフェドリン等、抗炎症剤としては、プレドニゾロン、デキサメサゾン、酢酸コルチゾン等のステロイド剤、グリチルレチン、塩化リゾチーム等、抗ヒスタミン剤としては、マレイン酸クロルフェニラミン、塩酸ジフェンヒドラミン等がある。
局麻剤としては、リドカイン、アミノ安息香酸エチル、塩酸プロカイン、塩酸ジプカイン、塩酸テトラカイン、塩酸パラブチルアミノ安息香酸ジエチルアミノアチル等がある。
外用鎮痛消炎剤としては、サリチル酸メチル、サリチル酸グリコール、１−メントール、ｄｌ−カンフル、ノニル酸ワニリルアミド、オウバク末、ジクロフェナックナトリウム等がある。
【００１６】
また、その他経皮吸収可能な薬剤であれば治療目的に応じて任意に選択することができる。具体的には、コルチコステロイド類、鎮痛消炎剤、精神安定剤、催眠鎮静剤、精神安定剤、抗高血圧剤、降圧利尿剤、抗生物質、麻酔剤、抗菌剤、抗真菌剤、ビタミン剤、冠血管拡張剤、抗ヒスタミン剤、鎮咳剤、性ホルモン、抗鬱剤、脳循環改善剤、制吐剤、抗腫瘍剤、生体医薬等の種類の薬剤である。これらの薬剤は目的に合わせ、単独でまたは複数の配合剤とすることができる。
【００１７】
ツボ押圧シートを対象物に貼り付ける接着手段は粘着シート、面ファスナー、熱活性型接着剤、溶剤活性型接着剤の内から選んだいずれか一つとするのが好ましい。粘着シートは常温活性の感圧型とするのが好ましい。面ファスナーについてもループ型とフック型の組み合わせ、またはループ・フックの混在型など公知の構成とするのが好ましい。
なお、ツボ押圧シートに配設する接着手段は突起を備えた面側であってもよいし、突起の裏面側であってもよい。貼り付ける対象物に応じて任意に実施すればよい。さらに、接着手段に前記薬剤を備える構成としてもよい。
【００１８】
複数のツボ押圧用突起を備えたツボ押圧シートから,一つの突起とその下部のシート部分を備えた突起片、または複数の突起をたとえば一列に備えたツボ押圧シート片等を手で切り離す手段として、突起間のシート部または突起の周囲にスリット、ミシン目、切れ目、V溝の内から選んだいずれか一つまたはその組み合わせを配設するのが好ましい。
前記スリット幅は１〜２mm、スリットの長さは任意で例えば２０〜３０mm、スリットとスリットの連結部長さは１〜２mm程度とするのが好ましい。ミシン目は直径１〜２mmの貫通孔を１．５〜３mmピッチ程度で穿孔するのが好ましい。切れ目の長さは任意で例えば２０〜３０mm、切れ目と切れ目の連結部長さは１〜２mm程度とするのが好ましい。切れ目はレーザー加工、刃物による加工など任意の公知手段を用いて実施すればよい。
なお、ツボ押圧シートの一方の面に接着手段を備える場合、該接着手段にもスリット、ミシン目、切り目の内いずれか一つまたはその組み合わせを切り離し可能に配設するのが好ましい。
【実施例１】
【００１９】
以下、本考案の一実施例におけるツボ押圧シートを図面と共に説明する。図１は本考案の一実施例におけるツボ押圧シートの平面図、図２は図１を切断線Ｓ１−Ｓ１で切断した断面図を示す。図１、図２において符号１００はツボ押圧シート、１０はシート(基材)、２０は身体の各部ツボを押圧刺激する突起、３０はシートの切り離しを容易にするためのＶ形ノッチ、４０はシートの切り離しを容易にするためのスリット、５０は感圧型の両面粘着シート、６０は両面に離形剤を塗布してなる離形紙である。
【００２０】
ツボ押圧シート１００はフェノール樹脂を用い厚さ０．３mm〜０．８mm程度のシート１０と突起２０とを一体成型してなる。突起２０はシート１０の一方の面に多行多列に所定間隔毎に配列されている。図１では１２行、９列に配設した例を示す。
ツボを押圧刺激する突起２０は先端部が半球状の円柱形をなし、円柱部の直径を５mm、突起の高さ寸法を５mm、先端部の半球状の半径を２．５ｍｍ程度とした。そして、該突起２０を２cm間隔ごとに９列にわたって配設した。各列における突起２０の配設ピッチも２cm程度とした。
さらに、突起２０表面と,該突起２０を備えた側のシート表面との両方に薬剤として殺菌消毒剤のグルコン酸クロルヘキシジンを数十μｍ程度の厚さに塗布している(図示せず)。
【００２１】
さらに、３列目の突起と４列目の突起の間、６列目の突起と７列目の突起の間にスリット４０を直線状に２箇所配設した。連結部１５を残すことによってシートがバラバラになるのを防いでいる。前記スリット４０の幅は１．５mm、長さを３０mm、連結部１５の長さを２mm程度とした。さらに、スリット４０の延長線上であってシートの縁部にＶ形ノッチ３０を上下２箇所に配設した。前記スリット４０及びＶ形ノッチ３０はシートの切り離しを容易にするために配設している。3列の突起を備えたシート片を切り離すには両手で折り取ればよい。シートが軟質部材の場合は引き裂き等により実施してもよい。
【００２２】
さらに、ツボ押圧シート１００は突起２０の裏面側に両面粘着シート５０と離形紙６０とを積層してなる。前記両面粘着シート５０と離形紙６０にもシート１０と同様パターンにスリット４０とＶ形ノッチ３０を設け、さらに、手でのシート切り離しを容易にするため連結部１５に刃物等による切れ目を所定に施しておくのが好ましい(図示せず)。切り離したツボ押圧シート片を対象物へ貼り付けるには離形紙６０を剥がして粘着面を露出させ接着すればよい。
【００２３】
上記構成により本考案のツボ押圧シート１００は、３列の突起を備えた３つのシート片に容易に手で切り離しできる。そして、任意の対象物たとえば靴の中敷や履物等に貼り付けて足の裏のツボ刺激に用いることができる。さらに、身体の皮膚から薬効を得られる。
なお、１列の突起を備えたシート片を切り離した場合(図示せず)、手すりや自転車のハンドル、調理器具の柄等に貼り付けて手のひらのツボを押圧刺激できる。
【００２４】
さらに上記実施例において、シート１０と突起２０を構成する樹脂部材はフェノール樹脂の他にＡＢＳ樹脂、エポキシ樹脂、柔軟性を備えたナイロン樹脂、酢酸ビニル、塩化ビニール、ゴム部材、布部材、紙部材等任意としてよいことは言うまでもない。
また、シートを厚さ100μｍ、幅10mm程度の巻回可能な長尺酢酸ビニルフィルムとし、10mm〜20mm間隔毎に一列またはジグザグ状にツボ押圧用突起を配設し、各突起間に切り離し用ミシン目を所定に設けた長尺テープ状ツボ押圧シートとする等、任意の構成としてよいことも同様である。
【００２５】
テープ上に配設するツボ押圧用突起は射出成形、真空成型、押圧成型、ディスペンサ塗布、接着等の手段から選んで実施すればよい。突起を備えた長尺テープ状ツボ押圧シートはツボ押圧シート自身の巻回、及び貼り付け対象物たとえばステアリングホイール、鞄の把手、傘の柄等への巻回を可能にする。
このように、ツボを押圧する突起２０の数、形状、大きさ寸法及び配設ピッチ、切り離し手段たとえばスリットの寸法と配置、手で切り離す突起の列数等を任意に設定してよいことも同様である。
さらに、切り離したツボ押圧シート片を身体に貼り付けるため両面粘着シートを突起側のシート面に配設することも任意である。
【実施例２】
【００２６】
図３は本考案のもう一つの実施例におけるツボ押圧シートの平面図、図４は図３を切断線Ｓ２−Ｓ２で切断した断面図を示す。図３、図４において符号２００はツボ押圧シート、１０はシート(基材)、２０はツボを押圧刺激する突起、３０はシートの切り離しを容易にするためのＶ形ノッチ、４０はシートの切り離しを容易にするためのスリット、５０は感圧型の両面粘着シート、７０は面ファスナーの基材、８０は面ファスナーを構成するフック、９０は面ファスナーを構成するループである。符号５５は感圧型の両面粘着シート、６５は離形紙である。なお、理解を容易にするため便宜上、一対の面ファスナーはフック側とループ側とを分離した状態で示している。
【００２７】
この場合のツボ押圧シート２００も基本的には実施例１のツボ押圧シート１００と同様の構成としている。異なる点は、対象物への接着手段として面ファスナーを用いる構成にある。シートおよび突起、スリットとＶ形ノッチの数、配置、寸法、材質等は実施例１と同じに構成した。また、面ファスナーの各基材、両面粘着シート、離形紙等にも切り離しを容易にするスリット、ミシン目、刃物による切れ目等の内、少なくとも一つの切り離し手段を同様に配設するのが好ましい。
【００２８】
上記構成により実施例２におけるツボ押圧シート２００も、３列の突起を備えた３片のシートに容易に手で切り離しできる。そして、任意の対象物たとえば椅子の背もたれ等に離形紙６５を剥して貼り付け、背中のツボ刺激に用いることができる。なお、面ファスナーを用いているので対象物に貼り付けた突起押圧用シート片を容易に脱着できる。
【実施例３】
【００２９】
図５は本考案のもう一つの実施例におけるツボ押圧シートの要部平面図を示す。図５において符号３００はツボ押圧シート、１１はシート(基材)、２１はツボを押圧刺激する突起、３５はシートの切り離しを容易にするためのミシン目である。
【００３０】
この場合のツボ押圧シート３００も基本的には実施例１のツボ押圧シート１００と同様の構成としている。異なる点は、スリットに代え突起２１の周辺に縦横に配設したミシン目３５によりシート片の切り離しを容易にした点にある。その他の構成は実施例１と同様にした。
ミシン目の穿孔は直径１．５mm、穿孔ピッチ２．０〜２．５mm程度とした。裏面側に配設した感圧型の両面粘着シートと離形紙にもシートと同様にミシン目を施すと共に、ミシン目の無い連結部には刃物等による切れ目を入れておくのが好ましい。
【００３１】
ミシン目を突起２１の周囲に縦横に配設することにより、少なくとも１個の突起２１を備えたツボ押圧シート片を手で切り離すことができる。勿論、複数個の突起２１を列状,または行状に備えたツボ押圧シート片など任意の大きさのツボ押圧シート片に切り離すこともできる。
上記構成により実施例３におけるツボ押圧シート３００の場合も所望のツボ押圧シート片を切り離し、任意の対象物たとえば杖の柄、鞄の把手、自動車のステアリングホイール、自転車のハンドル等に貼り付けて手のひらのツボを刺激することができる。
切り離したツボ押圧用突起片を身体に貼り付ける場合は、両面粘着シートを突起を備えたシート面側に配設してもよい。
【００３２】
なお、上記各実施例において身体のツボ押圧用突起はツボ押圧シートの片面側だけに配設する場合のほかに、ツボ押圧シートの両面に配設してよいことは前述した。さらに、接着手段を突起の裏面側に配設してもよいし、前述のごとくツボ押圧用突起を備えたシート面側に設けてもよい。
また、接着手段として薬剤を備えた粘着性部材配設し、身体の皮膚表面から薬剤を吸収させる機能を併せ持つツボ押圧シートとしてもよい。勿論、ツボ押圧シートが接着手段を備えてなくても一向に差し支えない。所望の大きさのツボ押圧用シート片に切り離した後、別途用意した接着剤(糊剤)、両面粘着テープ、または片面に粘着面を備えたテープ等を用い対象物に貼り付ける構成としてもよい。
【００３３】
さらに、ミシン目に代え、切れ目を突起の周囲に環状(円形または矩形状等)に配設してもよい。突起の周囲に切れ目を環状に配設することにより一つの突起部分とその下部のシート部分のみを切り離し可能となる。なお、突起の裏面側に両面粘着シートと離形紙を積層してなる場合は前記切れ目を両面粘着シートまでにとどめ、離形紙には切れ目を加工しない構成としてもよい。
【００３４】
さらに、ツボ押圧用突起をシート(基材)から真空成形または圧空成形、ブロー成形、押圧成型等の手段により一体成形するようにしてもよい。図７は本考案のもう一つの実施例におけるツボ押圧シート４００の要部断面図示し、符号２５は略円錐形の突起、３６はミシン目を示す。厚さ寸法０．３〜１．０mm程度の熱可塑性樹脂たとえば生分解性ポリエステル樹脂シートを真空成形して突起を形成してなる。
【００３５】
さらに、図８は本考案のもう一つの実施例におけるツボ押圧シート５００の要部断面図であって、ミシン目やスリットに代え、チョコレートブレイク等に用いられるＶ溝３７を突起２６の周辺に縦横に配設した例を示す。Ｖ溝はシートの片面側だけでなく、両面に配設してもよい。Ｖ溝３７及び突起２６は低密度ポリエチレン樹脂等によりなるシート(基材)と一体成形するのが好ましい。
【００３６】
さらに、図９は本考案のもう一つの実施例におけるツボ押圧シートの要部平面図を示す。図９において符号６００はツボ押圧シート、６１１はシート、６２０はツボを押圧刺激する突起、６３５はシートの分離を容易にするためのミシン目である。この場合もシート部と突起の構成は上記実施例３と同様であるが、シート６１１の裏面側に両面粘着テープ、離形紙を添設していない。対象物たとえば布地等への取り付けを衣料用ボタンと同じように糸で縫いつける構成としている。即ち、ツボ押圧用突起６２０の周囲４箇所に貫通した糸掛用孔６３６を配設し、該糸掛用孔６３６を用い糸で布地に縫いつける構成としている。
【００３７】
なお上記各実施例において、蓄光部材(例えば蓄光顔料の非硫化亜鉛タイプ = 珪素アルミン酸塩など)、または蛍光部材(ZnO系、LaNbO4など)のいずれか一方を含んだ透光性樹脂でシートとツボ押圧用突起を一体形成してもよい。夜間や薄暗い場所で短時間光るので、突起を目立つようにしたりアクセサリーとして活用できる。
【００３８】
さらに、芳香部材たとえば柑橘系の芳香剤を封入したマイクロカプセルをツボ押圧シート中に含ませるようにしてよいことも言うまでもない。前記マイクロカプセルは突起またはシートの少なくとも一方に配設するのが好ましい。ツボの押圧刺激によりマイクロカプセルが破壊し芳香する。
【産業上の利用可能性】
【００３９】
本考案のツボ押圧シートは所望の個数の突起を備えたシート片に切り離すことにより、鍋・釜・フライパンなどの各種調理器具の柄または把手、ヘヤードライヤ・冷蔵庫などの各種電気製品の柄または把手、テニスラケットなど各種スポーツ用具の柄または把手、杖、自転車等のハンドル、車のステアリングホイール、背もたれ、鞄の把手、ドアなどの各種把手、てすり、靴の中敷、つっかけやサンダル,スリッパ等の各種履物、身体に巻くベルト、筆記具、携帯電話、傘の柄、下着(肌着)、帽子、アクセサリー、腕輪、ぬいぐるみ、敷物、計量器、コンピュータ用マウス、枕、座布団、マット、床タイルなどの床材等の任意の対象物に貼り付けでき、手のひら、足の裏、首筋、頭部、背中、脚部等の身体各部のツボを押圧刺激できる。さらに、突起表面に配設した薬剤により身体の皮膚から薬効を得られる。
【図面の簡単な説明】
【００４０】
【図１】本考案の一実施例におけるツボ押圧シートの平面図
【図２】図１を切断線Ｓ１−Ｓ１で切断した断面図
【図３】本考案のもう一つの実施例におけるツボ押圧シートの平面図
【図４】図３を切断線Ｓ２−Ｓ２で切断した断面図
【図５】本考案のもう一つの実施例におけるツボ押圧シートの要部平面図
【図６】(Ａ)  本考案の一実施例におけるツボ刺激用シートの要部断面図(Ｂ)  本考案の一実施例におけるツボ刺激用シートの要部断面図(Ｃ)  本考案の一実施例におけるツボ刺激用シートの要部断面図
【図７】本考案のもう一つの実施例におけるツボ押圧シートの要部断面図
【図８】本考案のもう一つの実施例におけるツボ押圧シートの要部断面図
【図９】本考案のもう一つの実施例におけるツボ押圧シートの要部平面
【符号の説明】
【００４１】
１０、１１、６１１  シート
１５  連結部
２０、２１、２２、２３、２４、２５、２６、６２０  突起 
３０  Ｖ形ノッチ
３５、３６、６３５  ミシン目
３７  Ｖ溝
４０  スリット
５０、５５  両面粘着シート
６０、６５  離形紙
７０  面ファスナーの基材
８０  フック
９０  ループ
１００、２００、３００、４００、５００、６００  ツボ押圧シート
６３６  糸掛用孔
【図１】
0003111120.tif 000003
【図２】
0003111120.tif 000004
【図３】
0003111120.tif 000005
【図４】
0003111120.tif 000006
【図５】
0003111120.tif 000007
【図６】
0003111120.tif 000008
【図７】
0003111120.tif 000009
【図８】
0003111120.tif 000010
【図９】
0003111120.tif 000011